(57)【要約】【課題】本発明の課題は、被検試料中の第一の対象物を電極法で分析する方法と、前記被検試料中の第二の対象物を液体クロマトグラフィ法で分析する方法とに共通して用いる分析用試料を調製でき、かつ高い精度で測定できる、希釈液を提供することである。【解決手段】分析用試料の調製のための希釈液のイオン強度を０．０６〜０．１６とする。イオン強度がこの範囲にある希釈液を用いて調製された分析用試料は、被検試料中の第一の対象物を電極法で分析する方法と前記被検試料中の第二の対象物を液体クロマトグラフィ法で分析する方法とに共通して供することができ、かつ高い精度での測定を実現させることができる。特に、血液試料中のグルコース濃度を酵素電極法で測定する方法と、前記血液試料中のグリコヘモグロビン濃度を液体クロマトグラフィ法で測定する方法とに共通して用いる測定用試料を調製するのに有用である。【選択図】図２
2012027014.tif 000002
【特許請求の範囲】
【請求項１】
被検試料中の第一の対象物を電極法で分析する方法と、前記被検試料中の第二の対象物を液体クロマトグラフィ法で分析する方法とに共通して使用可能な、分析用試料の調製のための希釈液であって、イオン強度が０．０６〜０．１６であることを特徴とする希釈液。
【請求項２】
前記被検試料中の第一の対象物を電極法で分析する方法が、前記被検試料中の第一の対象物と反応する酵素を用いる方法であることを特徴とする、請求項１に記載の希釈液。
【請求項３】
前記被検試料中の第一の対象物を電極法で分析する方法が、前記被検試料中のグルコース濃度を酵素電極法で測定する方法であり、
前記被検試料中の第二の対象物を液体クロマトグラフィ法で分析する方法が、前記被検試料中のグリコヘモグロビン濃度を液体クロマトグラフィ法で測定する方法である、
請求項２に記載の希釈液。
【請求項４】
前記被検試料が血液であることを特徴とする、請求項１〜３の何れか一項に記載の希釈液。
【請求項５】
希釈液に含有されるイオンがナトリウムイオン、カリウムイオン、カルシウムイオン、マグネシウムイオン、塩化物イオン、リン酸イオン及び炭酸水素イオンから選ばれる１又は２種以上であることを特徴とする、請求項１〜４の何れか一項に記載の希釈液。
【請求項６】
さらに溶血剤を含有する、請求項４又は５に記載の希釈液。
【請求項７】
前記溶血剤が、サポニン、ポリオキシエチレンアルキルアリールエーテル、高級脂肪族アルコール、アルキルアリールポリエーテルアルコール、スルホネート化合物又はサルフェート化合物のポリオキシエチレングリコール又はポリオキシエチレンエーテル、ソルビット脂肪酸エステルのポリオキシエチレン付加体、及び塩化アンモニウムから選ばれる１種又は２種以上である、請求項６に記載の希釈液。
【請求項８】
希釈液と溶血剤とを含む、血液試料中の第一の対象物を電極法で分析する方法と前記血液試料中の第二の対象物を液体クロマトグラフィ法で測定する方法とに共通して使用可能な分析用試料調製のためのキットであって、前記希釈液と前記溶血剤とを混合したときのイオン強度が０．０６〜０．１６であることを特徴とするキット。
【請求項９】
前記溶血剤が、サポニン、ポリオキシエチレンアルキルアリールエーテル、高級脂肪族アルコール、アルキルアリールポリエーテルアルコール、スルホネート化合物又はサルフェート化合物のポリオキシエチレングリコール又はポリオキシエチレンエーテル、ソルビット脂肪酸エステルのポリオキシエチレン付加体、及び塩化アンモニウムから選ばれる１種又は２種以上である、請求項８に記載のキット。
【請求項１０】
分析用試料を調製する希釈液と被検試料とを混合して分析用試料を調製する工程と、
前記分析用試料について、第一の対象物を電極法により分析する第一分析工程と、
前記分析用試料について、第二の対象物を液体クロマトグラフィ法により分析する第二分析工程
とを含む分析方法であって、
前記希釈液は請求項１〜７の何れか一項に記載の希釈液であることを特徴とする分析方法。
【請求項１１】
前記第一分析工程が、前記分析用試料中のグルコース濃度を酵素電極法で測定する工程であり、
前記第二分析工程が、前記分析用試料中のグリコヘモグロビン濃度を液体クロマトグラフィ法で測定する工程である、
請求項１０に記載の分析方法。
【請求項１２】
分析用試料を調製する希釈液を収容する希釈液ボトルと、
前記希釈液ボトルから供給された前記希釈液と被検試料とを混合して分析用試料を調製する分析用試料調製機構と、
前記分析用試料調製機構で調製された分析用試料について、第一の対象物を電極法により分析する第一の対象物分析機構と、
前記分析用試料調製機構で調製された分析用試料について、第二の対象物を液体クロマトグラフィ法により分析する第二の対象物分析機構と
を備えた分析装置であって、前記希釈液は請求項１〜７何れか一項に記載の希釈液であることを特徴とする分析装置。
【請求項１３】
前記第一の対象物分析機構が、前記分析用試料中のグルコース濃度を酵素電極法で測定し、
前記第二の対象物分析機構が、前記分析用試料中のグリコヘモグロビン濃度を液体クロマトグラフィ法で測定する、
請求項１２に記載の分析装置。
【発明の詳細な説明】
【技術分野】
【０００１】
本発明は、被検試料中の第一の対象物を電極法で分析する方法と、前記被検試料中の第二の対象物を液体クロマトグラフィ法で分析する方法とに共通して使用可能な、分析用試料の調製のための希釈液に関する。
【背景技術】
【０００２】
生体試料等の被検試料に対する物質の分析方法には電極法や液体クロマトグラフィ法など種々のものがあり、研究や医療の現場で広く活用されている。
【０００３】
電極法で物質を分析する方法は、例えば、糖尿病のスクリーニング検査や治療で一般的に実施される、酵素電極法による血液中のグルコース濃度の測定に適用されている（特許文献１、２）。この方法では、血液試料中のグルコースにグルコースオキシダーゼ（ＧＯＤ）又はグルコースデヒドロゲナーゼ（ＧＤＨ）等を反応させて、それに伴って起こる酵素反応生成物（過酸化水素等）又はフェリシアン化カリウム等のメディエーターの酸化還元反応により生じる電流を測定し、平衡点法（エンドポイント法）や微分法（レート法）等の演算により、血液試料中のグルコース濃度を求める。
【０００４】
液体クロマトグラフィで物質を分析する方法は、例えば、糖尿病のスクリーニング検査や治療で一般的に実施される、液体クロマトグラフィ法による血液中のグリコヘモグロビン濃度の測定に適用されている（特許文献３、４）。この方法では、電荷の違いを利用して分析カラムでＨｂＡ１ｃやＨｂＦ等の成分に分離し、各分画の溶離時間と溶出量（例えば吸光度等の光学的情報）との関係を示すクロマトグラムに基づいて、血液試料中のグリコヘモグロビン濃度を求める。
【０００５】
従来、上記のような電極法を用いる分析や液体クロマトグラフィ法を用いる分析は、個別に行われてきた。例えば、酵素電極法でグルコース濃度を測定する血液分析装置と、液体クロマトグラフィ法でグリコヘモグロビン濃度を測定する血液分析装置とは、別々の装置として存在していた。
本発明者らは、より高い有用性を求め、調製した測定用試料を共通に用いて、グルコース濃度及びグリコヘモグロビン濃度の両方を測定することができる血液分析装置の開発を行った（特許文献５）。
【先行技術文献】
【特許文献】
【０００６】
【特許文献１】特開平９−３３５３３号公報
【特許文献２】特開２００５−１４８０５８号公報
【特許文献３】特開５−５７３０号公報
【特許文献４】特開平９−１７８７１９号公報
【特許文献５】国際公開第２００８／０３５７４８号パンフレット
【発明の概要】
【発明が解決しようとする課題】
【０００７】
被検試料に対する電極法による分析と液体クロマトグラフィによる分析の両方において、分析用試料を共通に用いる場合、試料を調製する希釈液を同一とするため、分析精度の問題が起こることがある。
例えば、前述の酵素電極法によるグルコース濃度の測定と、液体クロマトグラフィ法によるグリコヘモグロビン濃度の測定とを、共通の測定用試料で行う血液分析装置において
は、次のような問題が生じる。まず、ここで用いられているＧＯＤ電極法では、ＧＯＤ固定化膜でグルコースを分解し、酵素反応生成物である過酸化水素が過酸化水素電極に達し、外部電圧をかけられることにより酸化還元反応を起こして陰極と陽極の間で電流が流れることを利用するが、このとき希釈液が支持電解液となるため、そのイオン強度が高いと検出性能が良くなる。
一方、ここで用いられている液体クロマトグラフィ法では、グリコヘモグロビンの種類により電荷が異なることを利用してＨｂＡ１ｃやＨｂＦ等の成分に分離するため、希釈液のイオン強度が高いと分離能が低下する。
従って、被検試料中の第一の対象物に対する電極法による分析と、前記被検試料中の第二の対象物に対する液体クロマトグラフィ法による分析の両方の分析系に供する分析用試料を調製するための希釈液を同一のものとすることと、２つの対象物ともの分析精度を高くすることとを両立することは、難しかった。
本発明は、このような状況に鑑み、被検試料中の第一の対象物を電極法で分析する方法と、前記被検試料中の第二の対象物を液体クロマトグラフィ法で分析する方法とに共通して用いる分析用試料を調製でき、かつ高い精度で測定できる、希釈液を提供することを課題とする。
【課題を解決するための手段】
【０００８】
上記課題を解決するために、本発明者らは鋭意検討を行った。その結果、イオン強度が０．０６〜０．１６の範囲である希釈液が、被検試料中の第一の対象物に対する電極法による分析と、前記被検試料中の第二の対象物に対する液体クロマトグラフィ法による分析の両方の分析系共通の希釈液として適することを見出し、本発明を完成させた。
すなわち、本発明は以下の通りである。
（１）被検試料中の第一の対象物を電極法で分析する方法と、前記被検試料中の第二の対象物を液体クロマトグラフィ法で分析する方法とに共通して使用可能な、分析用試料の調製のための希釈液であって、イオン強度が０．０６〜０．１６であることを特徴とする希釈液。
（２）前記被検試料中の第一の対象物を電極法で分析する方法が、前記被検試料中の第一の対象物と反応する酵素を用いる方法であることを特徴とする、（１）に記載の希釈液。（３）前記被検試料中の第一の対象物を電極法で分析する方法が、前記被検試料中のグルコース濃度を酵素電極法で測定する方法であり、
前記被検試料中の第二の対象物を液体クロマトグラフィ法で分析する方法が、前記被検試料中のグリコヘモグロビン濃度を液体クロマトグラフィ法で測定する方法である、
（２）に記載の希釈液。
（４）前記被検試料が血液であることを特徴とする、（１）〜（３）の何れかに記載の希釈液。
（５）希釈液に含有されるイオンがナトリウムイオン、カリウムイオン、カルシウムイオン、マグネシウムイオン、塩化物イオン、リン酸イオン及び炭酸水素イオンから選ばれる１又は２種以上であることを特徴とする、（１）〜（４）の何れかに記載の希釈液。
（６）さらに溶血剤を含有する、（４）又は（５）に記載の希釈液。
（７）前記溶血剤が、サポニン、ポリオキシエチレンアルキルアリールエーテル、高級脂肪族アルコール、アルキルアリールポリエーテルアルコール、スルホネート化合物又はサルフェート化合物のポリオキシエチレングリコール又はポリオキシエチレンエーテル、ソルビット脂肪酸エステルのポリオキシエチレン付加体、及び塩化アンモニウムから選ばれる１種又は２種以上である、（６）に記載の希釈液。
（８）希釈液と溶血剤とを含む、血液試料中の第一の対象物を電極法で分析する方法と前記血液試料中の第二の対象物を液体クロマトグラフィ法で測定する方法とに共通して使用可能な分析用試料調製のためのキットであって、前記希釈液と前記溶血剤とを混合したときのイオン強度が０．０６〜０．１６であることを特徴とするキット。
（９）前記溶血剤が、サポニン、ポリオキシエチレンアルキルアリールエーテル、高級脂
肪族アルコール、アルキルアリールポリエーテルアルコール、スルホネート化合物又はサルフェート化合物のポリオキシエチレングリコール又はポリオキシエチレンエーテル、ソルビット脂肪酸エステルのポリオキシエチレン付加体、及び塩化アンモニウムから選ばれる１種又は２種以上である、（８）に記載のキット。
（１０）分析用試料を調製する希釈液と被検試料とを混合して分析用試料を調製する工程と、
前記分析用試料について、第一の対象物を電極法により分析する第一分析工程と、
前記分析用試料について、第二の対象物を液体クロマトグラフィ法により分析する第二分析工程
とを含む分析方法であって、
前記希釈液は（１）〜（７）の何れかに記載の希釈液であることを特徴とする分析方法。
（１１）前記第一分析工程が、前記分析用試料中のグルコース濃度を酵素電極法で測定する工程であり、
前記第二分析工程が、前記分析用試料中のグリコヘモグロビン濃度を液体クロマトグラフィ法で測定する工程である、
（１０）に記載の分析方法。
（１２）分析用試料を調製する希釈液を収容する希釈液ボトルと、
前記希釈液ボトルから供給された前記希釈液と被検試料とを混合して分析用試料を調製する分析用試料調製機構と、
前記分析用試料調製機構で調製された分析用試料について、第一の対象物を電極法により分析する第一の対象物分析機構と、
前記分析用試料調製機構で調製された分析用試料について、第二の対象物を液体クロマトグラフィ法により分析する第二の対象物分析機構と
を備えた分析装置であって、前記希釈液は（１）〜（７）の何れかに記載の希釈液であることを特徴とする分析装置。
（１３）前記第一の対象物分析機構が、前記分析用試料中のグルコース濃度を酵素電極法で測定し、
前記第二の対象物分析機構が、前記分析用試料中のグリコヘモグロビン濃度を液体クロマトグラフィ法で測定する、
（１２）に記載の分析装置。
【発明の効果】
【０００９】
本発明により、被検試料中の第一の対象物を電極法で分析する方法と、前記被検試料中の第二の対象物を液体クロマトグラフィ法で分析する方法とに共通して用いる分析用試料を調製でき、かつ高い精度で測定できる、希釈液が提供される。
【図面の簡単な説明】
【００１０】
【図１】本発明の分析方法を示すフローチャートである。
【図２】希釈液のイオン強度の、グルコース濃度及びヘモグロビンＡ１ｃ測定性能への影響を示すグラフである。
【発明を実施するための形態】
【００１１】
本発明の希釈液は、被検試料中の第一の対象物を電極法で分析する方法と、前記被検試料中の第二の対象物を液体クロマトグラフィ法で分析する方法とに共通して使用可能な、分析用試料の調製に用いるものである。
前記電極法は、電極を利用して物質を分析できる方法であればどのような方法であってもよく、例えば、酵素を用いた酵素電極法であるが、これに限定されない。前記酵素電極法において、電極に固定化される酵素としては、次のものを例示できる。第一の対象物がグルコースである場合は、グルコースオキシダーゼ（ＧＯＤ）やグルコースデヒドロゲナ
ーゼ（ＧＤＨ）等の酵素電極法一般に用いられる酵素が挙げられ、好ましくはＧＯＤであるが、これらには限定されない。また、第一の対象物が乳酸である場合はＬＤＨ（乳酸脱水素酵素、乳酸デヒドロゲナーゼ）、シトクロムｃ依存型Ｄ−乳酸デヒドロゲナーゼ、シトクロムｃ依存型Ｌ−乳酸デヒドロゲナーゼ、ＮＡＤ（Ｐ）−依存型酵素Ｄ−乳酸デヒドロゲナーゼ、ＮＡＤ（Ｐ）−依存型酵素Ｌ−乳酸デヒドロゲナーゼ、ＬＯＤ（乳酸酸化酵素、乳酸オキシダーゼ）が挙げられるが、これらに限定されない。
前記液体クロマトグラフィ法は、第二の対象物がグリコヘモグロビンである場合に好ましく適用できるが、これに限定されない。ここで、液体クロマトグラフィ法によるグリコヘモグロビンの測定は、分析カラムによる分画分離後に各分画のヘモグロビンの吸収波長における吸光度を測定することにより行われる。用いられる分析カラムとしては、充填剤がシリカゲル、ポリメタクリレート、ポリヒドロキシメタクリレート、ポリビニルアルコール、スチレン・ジビニルベンゼン共重合体等である、グリコヘモグロビンの分離に一般的に用いられるものが挙げられる。
本発明において、被検試料は第一の対象物と第二の対象物とを含み、好ましくは血液試料が挙げられるが、これに限定されない。
【００１２】
本発明の希釈液において、イオン強度は０．０６〜０．１６であり、より好ましくは０．０８〜０．１４であり、０．１０〜０．１２であることがいっそう好ましい。なお、本発明において、イオン強度とは、溶液中のすべてのイオン種について、それぞれのイオンのモル濃度 m と電荷 z の2乗の積を加え合わせ、さらにそれを１／２にしたものであり
、次式（Ａ）を用いて算出できる。
Ｉ＝（ΣＣｉ・Ｚｉ2）／２      （Ａ）
ここで、Ｃｉ，Ｚｉはそれぞれ、溶液中のｉ番目のイオンの濃度及び電荷である。イオン強度が０．１６より大きいと第二の対象物の液体クロマトグラフィカラムによる分離がうまくできず、第二の対象物の分析の精度が劣る。イオン強度が０．０６より小さいと電極法での第一の対象物の検出性能が劣る。ここで、被検試料は本発明の希釈液で通常の希釈倍率、例えば５０〜２００倍程度に希釈される。イオン強度がこの範囲にある希釈液を用いて調製された分析用試料は、被検試料中の第一の対象物を電極法で分析する方法と前記被検試料中の第二の対象物を液体クロマトグラフィ法で分析する方法とに共通して供することができ、かつ高い精度での分析を実現させることができる。特に、血液試料中のグルコース濃度を酵素電極法で測定する方法と、前記血液試料中のグリコヘモグロビン濃度を液体クロマトグラフィ法で測定する方法とに共通して用いる測定用試料を調製するのに有用となる。
【００１３】
本発明の希釈液に含有されるイオンの種類は、特に限定されないが、例えば、ナトリウムイオン（Ｎａ+）、カリウムイオン（Ｋ+）、カルシウムイオン（Ｃａ2+）、マグネシウムイオン（Ｍｇ2+）、塩化物イオン（Ｃｌ-）、リン酸イオン（ＰＯ43-）及び炭酸水素イオン（ＨＣＯ3-）から選ばれる１種又は２種以上である。これは、血液検体中の成分を測定するに際して、生体内に含まれるイオンと同種のものを用いることにより、より安定した測定系となるからである。ここで、イオンの価数は特に問わない。
本発明の希釈液は、上記イオンを生成するアルカリ金属、アルカリ土類金属の塩等の電解質を用いて作製する。
【００１４】
本発明の希釈液は、本発明の効果を妨げない範囲において、溶血剤を含有しても良い。血液検体中の血球成分の血球膜を破壊するための溶血剤としては、サポニン等の配糖体、ポリオキシエチレンアルキルアリールエーテル、高級脂肪族アルコール、アルキルアリールポリエーテルアルコール、スルホネート化合物又はサルフェート化合物のポリオキシエチレングリコール又はポリオキシエチレンエーテル、ソルビット脂肪酸エステルのポリオキシエチレン付加体等の界面活性剤や、塩化アンモニウム等の公知の溶血剤が挙げられる。溶血剤は、予め本発明の希釈液に添加されていても良いし、測定用試料を調製する際に
血液検体と同時又はその前後に添加しても良い。
また、本発明の希釈液は、本発明の効果を妨げない範囲において、公知の防腐剤等の任意の添加物を適当量含有してもよい。
【００１５】
本発明において、希釈液は溶血剤又は溶血剤を含む溶液と組み合わせて、血液試料中の第一の対象物を電極法で分析する方法と前記血液試料中の第二の対象物を液体クロマトグラフィ法で測定する方法とに共通して使用可能な、分析用試料調製のためのキットとすることができる。この場合、希釈液を収容した容器と、溶血剤又は溶血剤を含む溶液を収容した容器とは、別包装としてキットに含まれる。ここで、希釈液と溶血剤又は溶血剤を含む溶液を混合した場合のイオン強度は０．０６〜０．１６であり、より好ましくは０．０８〜０．１４であり、０．１０〜０．１２であることがいっそう好ましい。
このキットを用いて分析用試料を調製すれば、その分析用試料は血液試料中の第一の対象物を電極法で分析する方法と前記血液試料中の第二の対象物を液体クロマトグラフィ法で分析する方法とに共通して供することができる。
【００１６】
本発明の希釈液は、（i）分析用試料を調製する希釈液と被検試料とを混合して分析用試料を調製する工程と、（ii）前記分析用試料について、第一の対象物を電極法により分析する第一分析工程と、（iii）前記分析用試料について、第二の対象物を液体クロマトグラフィ法により分析する第二分析工程とを含む分析方法に適用することができる。本方法については、図１のフローチャートを参照されたい。本方法において、前記第一分析工程（ii）が前記分析用試料中のグルコース濃度を酵素電極法で測定する工程であり、前記第二分析工程（iii）が前記分析用試料中のグリコヘモグロビン濃度を液体クロマトグラフィ法で測定する工程である場合が好ましいが、これに限定されない。本発明の希釈液を前記分析用試料調製工程（i）における希釈液として用いて、前記分析方法を行うことにより、被検試料中の第一の対象物と第二の対象物の両方を高い精度で分析することが実現される。
【００１７】
本発明の希釈液は、希釈液ボトルと分析用試料調製機構と第一の対象物分析機構と第二の対象物分析機構とを備えた分析装置での、第一の対象物及び第二の対象物の分析に適用することができる。
ここで、希釈液ボトルは、本発明の希釈液を収容する。試料調製機構は、前記希釈液ボトルから供給された本発明の希釈液と被検試料とを混合して分析用試料を調製する。第一の対象物分析機構は、前記試料調製機構で調製された分析用試料について、第一の対象物を電極法により測定する。第二の対象物分析機構は、同じく前記試料調製機構で調製された分析用試料について、第二の対象物を液体クロマトグラフィ法により分析する。この分析装置において、本発明の希釈液は、被検試料中の第一の対象物を電極法で分析する方法と前記被検試料中の第二の対象物を液体クロマトグラフィ法で分析する方法とに共通して用いる、分析用試料を調製する希釈液として機能する。ここで本分析装置は、前記第一の対象物分析機構が前記分析用試料中のグルコース濃度を酵素電極法で測定し、前記第二の対象物分析機構が前記分析用試料中のグリコヘモグロビン濃度を液体クロマトグラフィ法で測定するものが好ましく挙げられるが、これに限定されない。
本発明の希釈液は、この分析装置内の経路及び測定機構の洗浄液としても兼ねることができる。
【実施例】
【００１８】
以下に実施例を掲げて、本発明を更に詳しく説明するが、本発明はこれらの実施例のみに限定されるものではない。
【００１９】
≪実施例１≫
被検試料を調製する希釈液のイオン強度の、第一の対象物及び第二の対象物の分析性能
への影響を検討した。本実施例において、第一の対象物はグルコースであり、第二の対象物はグリコヘモグロビンであり、被検血液試料中のこれらの各濃度を以下の方法で測定し、その測定性能を評価した。
異なる濃度の支持電解質（アルカリ金属、アルカリ土類金属等）を含む緩衝液を調製し、種々のイオン強度の希釈液を作製した。この各希釈液を用いて被検血液試料を希釈した測定用試料について、グルコース濃度を、ＧＯＤ電極を用いて測定した。また、前記測定用試料について、グリコヘモグロビンＡ１ｃ濃度を、イオン交換カラムを用いる液体クロマトグラフィにより測定した。測定機器は、通常の測定に用いられる汎用のものを使用した。
ここで、前記被検血液試料は、グルコース濃度及びグリコヘモグロビンＡ１ｃ濃度が何れも既知のものを用い、それぞれ１００ｍｇ／ｄＬ及び５％である。上記測定による測定値の、既知濃度値からのずれを測定正確性（％）として算出した。この測定正確性がグルコース濃度については９７〜１０３％、グリコヘモグロビンＡ１ｃ濃度については９９〜１０１％の範囲である場合、測定精度が高いといえる。各項目で異なる基準に設定しているのは、グルコースは時間〜日レベルの短期のサンプルドナーの臨床状態に大きく影響されるのに対し、グリコヘモグロビンＡ１ｃは数か月レベルの中長期のサンプルドナーの臨床状態を表し短期的な変動は生じないからである。
希釈液の各イオン強度における、グルコース及びグリコヘモグロビンの各測定正確性の結果を図２に示す。これより、希釈液のイオン強度が０．０９０〜０．１２４の範囲にわたって、グルコース濃度及びグリコヘモグロビンＡ１ｃ濃度の両方の測定精度が高く、さらに、イオン強度が０．１００〜０．１２０の範囲では特に測定精度が高いことが分かる。
【産業上の利用可能性】
【００２０】
本発明の希釈液を用いれば、被検試料中の第一の対象物を電極法で分析する方法と前記被検試料中の第二の対象物を液体クロマトグラフィ法で分析する方法とに共通して供することができ、かつ高い精度での分析を実現させることができるため、産業上非常に有用である。特に、血液試料中のグルコース濃度を酵素電極法で測定する方法と、前記血液試料中のグリコヘモグロビン濃度を液体クロマトグラフィ法で測定する方法とに共通して用いる測定用試料を調製するのに適用すれば、糖尿病のスクリーニング検査や治療に役立つ。
【図１】
2012027014.tif 000003
【図２】
2012027014.tif 000004